(57)【要約】【課題】切込部を設けた合成樹脂フィルムにより簡便に摺接用シートを得る。【解決手段】摺接用シート１において、切込部１ｃと、切込部１ｃ間を直線上に接続し切込部１ｃよりも長さが短い接続部１ｄとにより、１列の切込列１ｅが形成されており、このような切込列１ｅの多数列が平行に形成されている。これらの切込列１ｅは横方向に平行に所定幅の連結片１ｆを介して設けられ、各切込部１ｃの横方向には、隣接する切込列１ｅの接続部１ｄが位置するように配列されている。切込部１ｃ、接続部１ｄは横方向に対して千鳥状に配置されることになり、切込部１ｃが開口部に変形することにより、切込部１ｃに接する連結片１ｆが立ち上り、その縁部は研磨のための摺接部となる。【選択図】図４
2015168042.tif 000002
【特許請求の範囲】
【請求項１】
合成樹脂フィルムに、切込部と接続部とから成る多数の切込列をこれらの切込列間の連結片を介して平行して配列し、これらの切込列は前記切込部と前記切込部よりも長さが短い前記接続部と交互に直線上に位置するようにし、隣接する切込列同士は前記切込部の横方向に前記接続部が位置するようにし、前記切込列と直交する方向に引っ張ることにより前記切込部が開口すると共に前記連結片が立ち上り、前記連結片の縁部を摺接部として用いることを特徴とする摺接用シート。
【請求項２】
前記切込列と平行する縁辺同士を接着したことを特徴とする請求項１に記載の摺接用シート。
【請求項３】
合成樹脂フィルムに、切込部と接続部とから成る多数の切込列をこれらの切込列間の連結片を介して平行して配列し、これらの切込列は前記切込部と前記切込部よりも長さが短い前記接続部と交互に直線上に位置するようにし、隣接する切込列同士は前記切込部の横方向に前記接続部が位置するようにし、前記切込列と直交する方向に引っ張ることにより前記切込部が開口すると共に前記連結片が立ち上り、前記連結片の縁部を摺接部として用いる摺接用シートを、前記切込部を開口した状態で装着部材の表面に取り付けたことを特徴とする摺接用シートを用いた摺接用具。
【請求項４】
前記装着部材は筒体として、前記摺接用シートを前記筒体の周囲に巻回したことを特徴とする請求項３に記載の摺接用シートを用いた摺接用具。
【請求項５】
前記装着部材は凹部を有し、該凹部上を前記摺接用シートにより覆ったことを特徴とする請求項３に記載の摺接用シートを用いた摺接用具。
【発明の詳細な説明】
【技術分野】
【０００１】
本発明は、例えば野菜の皮むき、或いは汚れ落とし、一般製品の表面研磨等に好適に使用し得る摺接用シート及び該摺接用シートを用いた摺接用具に関するものである。
【背景技術】
【０００２】
特許文献１、２には、スポンジ等のクッション材の表面に研磨材を接着した野菜用皮むき器が開示されている。この野菜用皮むき器により芋類、ごぼう、にんじん等の野菜の表面を摺接して、表面の皮を除去することができる。
【先行技術文献】
【特許文献】
【０００３】
【特許文献１】実用新案登録３０７５０７５号公報
【特許文献２】実用新案登録３１４７２６４号公報
【発明の概要】
【発明が解決しようとする課題】
【０００４】
しかし、特許文献１、２に記載の野菜用皮むき器では、基材となるクッション材の上に研磨剤を接着させる必要があるため、製造に手間が掛かり、製造コストも高くなるという問題がある。
【０００５】
また、研磨材がクッション材から剥がれ落ちると、皮むき器として使用できなくなり、クッション材がまだ十分に使用に耐え得る状態でも、廃棄せざるを得ない。
【０００６】
本発明の目的は、上述の課題を解消し、簡素な素材を用いて簡便に組立て得る摺接用シート及び該摺接用シートを用いた摺接用具を提供することにある。
【課題を解決するための手段】
【０００７】
上記目的を達成するための本発明に係る摺接用シートは、合成樹脂フィルムに、切込部と接続部とから成る多数の切込列をこれらの切込列間の連結片を介して平行して配列し、これらの切込列は前記切込部と前記切込部よりも長さが短い前記接続部と交互に直線上に位置するようにし、隣接する切込列同士は前記切込部の横方向に前記接続部が位置するようにし、前記切込列と直交する方向に引っ張ることにより前記切込部が開口すると共に前記連結片が立ち上り、前記連結片の縁部を摺接部として用いることを特徴とする。
【０００８】
また、本発明に係る摺接用シートを用いた摺接用具は、合成樹脂フィルムに、切込部と接続部とから成る多数の切込列をこれらの切込列間の連結片を介して平行して配列し、これらの切込列は前記切込部と前記切込部よりも長さが短い前記接続部と交互に直線上に位置するようにし、隣接する切込列同士は前記切込部の横方向に前記接続部が位置するようにし、前記切込列と直交する方向に引っ張ることにより前記切込部が開口すると共に前記連結片が立ち上り、前記連結片の縁部を摺接部として用いる摺接用シートを、前記切込部を開口した状態で装着部材の表面に取り付けたことを特徴とする。
【発明の効果】
【０００９】
本発明では、合成樹脂から成る摺接用シートを用いることで、容易に野菜等の皮むきや各種食材或いは一般材料の研磨を行うことができる。更に、摺接用シートはフィルムにスリット状の切込みを形成するだけなので、製造コストを安価に抑えることが可能である。
【００１０】
また、摺接用シートは平面状のシートなので、嵩張ることがなく、運搬、保管が容易であり、部材に取り付けて摺接用具として使用できる。
【図面の簡単な説明】
【００１１】
【図１】実施例１の摺接用シートの平面図である。
【図２】摺接用シートを伸張した状態の説明図である。
【図３】摺接用シートの両辺を接着し、重ねた状態の斜視図である。
【図４】摺接用シートを筒状体とした状態の斜視図である。
【図５】摺接用シートをペットボトルに装着した状態の斜視図である。
【図６】摺接用シートを伸張した状態の一部拡大した説明図である。
【図７】実施例２の摺接用シートを容器に装着した状態の斜視図である。
【図８】実施例３の摺接用シートを玉柄杓に装着した状態の斜視図である。
【発明を実施するための形態】
【００１２】
本発明を図示の実施例に基づいて詳細に説明する。
【実施例１】
【００１３】
実施例１の摺接用シート１はポリプロピレン、ポリエチレン、ポリエステム、ポリ塩化ビニール、ナイロン、ポリカーボネイト等の合成樹脂製の薄いフィルムから成っている。摺接用シート１の厚さは例えば１００〜２００μｍであり、１５０μｍ程度が好適である。
【００１４】
摺接用シート１は矩形状とされ、その大きさは例えば縦辺１ａの長さが１５ｃｍ、横辺１ｂの長さが１８ｃｍ程度であり、用途に応じて適宜の大きさのものを用いることができる。
【００１５】
摺接用シート１には、多数のスリット状の切込部１ｃが縦辺１ａと平行にマイクロスリット加工等により切り込まれている。これらの切込部１ｃと、切込部１ｃ間を直線上に接続し切込部１ｃよりも長さが短い接続部１ｄとにより、１列の切込列１ｅが形成されており、このような切込列１ｅの多数列が平行に形成されている。
【００１６】
各切込部１ｃの長さは例えば５〜１５ｍｍ程度であり、約１０ｍｍが好適であり、各接続部１ｄの長さは例えば１〜５ｍｍ程度であり、約３ｍｍが好適である。
【００１７】
これらの切込列１ｅは横辺１ｂと平行に横方向に、例えば２ｍｍ程度の幅間隔の連結片１ｆを介して設けられ、各切込部１ｃの横方向には、隣接する切込列１ｅの接続部１ｄが位置するように交互に配列されている。このように配置することで、切込部１ｃ、接続部１ｄは横方向に対して千鳥状に配置され、１列おきの切込列１ｅは、縦辺１ａと平行な縦方向の同一位置に、切込部１ｃと接続部１ｄとを有する配列となる。
【００１８】
摺接用シート１は合成樹脂フィルム製であるので、容易に伸張し、摺接用シート１を横方向に引っ張ると、図２に示すように各切込部１ｃは、切込み方向と直交する方向である横方向に拡がり、唇形状の開口部１ｇに変形する。唇形状に拡った開口部１ｇは、隣接する開口部１ｇと千鳥状に配置されることになる。
【００１９】
摺接用シート１の両側の縁辺である縦辺１ａ、１ａ同士は、図３に示すように幅数ｍｍに渡って溶着により接着した接着部１ｈとされ、平面状に重ねられている。摺接用シート１はこの状態で包装パック等に封入され、運搬、保管、店頭での陳列に供される。
【００２０】
使用に際しては、摺接用シート１を図４に示すように拡げて筒状体２とし、この筒状体２に円筒体である空きペットボトル３等の装着部材を細径の飲み口側から挿入する。これにより、摺接用シート１は横方向に沿って円周方向に引っ張られ、図５に示すように空きペットボトル３の表面を巻回して覆う状態となる。なお、この摺接用シート１の横方向の伸張につれ、縦辺１ａの長さは稍々短くなる。
【００２１】
図６は空きペットボトル３に装着し、円周方向に伸張させた状態の摺接用シート１の一部を拡大した説明図である。切込部１ｃが開口部１ｇに変形することにより、開口部１ｇに接する連結片１ｆが立ち上り、その縁部が研磨作用を行うための摺接部となり、摺接部は適度の強度と可撓性を有する。この実施例１のように、切込部１ｃの中点と隣接する接続部１ｄの中点とが横辺１ｂと平行な位置に設けると、開口部１ｇは縦方向に対称の唇形状に開口する。
【００２２】
装着部材には、摺接用シート１に対応する専用の巻付材を用いるのではなく、簡便に入手できる実施例１のような空きペットボトル３を利用することが経済的である。なお、空きペットボトル３に水又は空気を入れて蓋を閉めることにより、内部を密封状態で使用すると、空きペットボトル３は押しても変形し難くなるので研磨が容易となる。空きペットボトル３には、円筒状の他に適宜の角筒状等を用いてもよい。
【００２３】
このように装着部材に被着した摺接用シート１から成る摺接用具により、例えば野菜の表面を摺動すると、皮が摺接部に引っ掛かり、開口部１ｇ内に削られた削り屑が入り込む。そこで、水を適度に使いながら使用することで、削られた削り屑は水と共に流れ落ちる。また、この研磨は食材だけでなく、工学用材料などに対しても適用できる。
【００２４】
繰り返して研磨を続けると、摺接部は徐々に擦り減り、当初の鋭さを保持できなくなり、研磨材として機能が低下してくる。この状態に至ると、摺接用シート１を空きペットボトル３から取り外し、筒状体２を裏返して再度、装着部材に被着する。このように裏返すことで、使用されていなかった連結片１ｆの裏面側が今度は表面となり、摺接用シート１として再生することができる。
【００２５】
この裏返した状態で、摺接用シート１を再度使用しても、研磨材としての機能を有しなくなったり、接続部１ｄ等が切断した場合には、空きペットボトル３から取り外して廃棄し、新たな摺接用シート１の筒状体２を空きペットボトル３に装着して使用を始めればよい。
【００２６】
なお、使用前の摺接用シート１は平面状のシートなので、嵩張ることがなく、運搬、保管は容易である。
【００２７】
上述の実施例１においては、摺接用シート１の縦辺１ａ、１ａ同士を溶着して筒状体２としたが、両面テープを用いて筒状体２としたり、摺接用シート１を任意の大きさに切断して、装着部材に接着テープにより接着するなどして、摺接用具とすることも可能である。
【実施例２】
【００２８】
図７は筒状体にした摺接用シート１を、装着部材として合成樹脂製の箱状容器４に装着した状態の摺接用具の斜視図を示している。
【００２９】
摺接用シート１は蓋を外して上方を開口部とした箱状容器４の周囲に拡開した状態で装着されており、摺接用シート１は連結片１ｆを立ち上げた摺接部を有している。箱状容器４の裏側の底部及び側部外側には摺接用シート１が密着しており、実施例１と同様に研磨用として使用できる。或いは、角部に位置する摺接用シート１を用いて摺接すると特に効果的である。
【００３０】
また、箱状容器４の表面側の凹部４ａとなる開口部上に張られた摺接用シート１は、例えば食材の摺り下ろし用として使用できる。連結片１ｆを用いて大根、チーズ、ゆで卵などを摺り下ろすことにより、摺り下ろした食材を凹部４ａ内に落下させて溜めることができる。
【実施例３】
【００３１】
図８は筒状体にした摺接用シート１を玉柄杓の杓部に装着した状態の摺接用具の斜視図を示している。
【００３２】
摺接用シート１は玉柄杓５の杓部５ａの周囲に拡開して装着されている。例えば煮汁などを調理中に、柄部５ｂを持って、裏側の半球状に膨らんだ部分に位置する摺接用シート１の連結片１ｆを、煮汁上に接するように摺動させることで灰汁を吸着することが可能である。杓部５ａの表側の凹部５ｃ上に張られた摺接用シート１では、味噌などをすくい取って、煮汁中に溶きほぐすことや、煮汁上に灰汁のみをすくい取ることができる。また、摺接用シート１を泡立て器に装着することで容易に泡立てをすることもできる。
【００３３】
また、上述の実施例１〜３においては、筒状体にした摺接用シート１を例えば空きペットボトル３、箱状容器４、玉柄杓５に被着して摺接用具として使用したが、板片等に被着、貼付等をすることにより、各種材料に対する摺接用具とすることもできる。
【００３４】
更には、この摺接用シート１は単なる平面シートとして、手に巻き付けて拡開しながら研磨用、食材摺り下ろし用等、多様な用途に使用することも可能であり、或いは２枚重ねにして使用するようにしてもよい。
【符号の説明】
【００３５】
１  摺接用シート
１ａ  縦辺
１ｂ  横辺
１ｃ  切込部
１ｄ  接続部
１ｅ  切込列
１ｆ  連結片
１ｇ  開口部
１ｈ  接着部
２  筒状体
３  空きペットボトル
４  箱状容器
５  玉柄杓
【図１】
2015168042.tif 000003
【図２】
2015168042.tif 000004
【図３】
2015168042.tif 000005
【図４】
2015168042.tif 000006
【図５】
2015168042.tif 000007
【図６】
2015168042.tif 000008
【図７】
2015168042.tif 000009
【図８】
2015168042.tif 000010